(57)【要約】【課題】本発明は、プラズマディスプレイパネルの駆動時に駆動パルス間のカップリングによるノイズ及び電磁妨害の発生を減少し得るプラズマディスプレイ装置の駆動方法を提供する。【解決手段】本発明によるプラズマディスプレイ装置の駆動方法は、パネルキャパシタからエネルギーを回収するエネルギー回収回路を含むプラズマディスプレイ装置の駆動方法において、インダクタの電流が放電される期間内にパネルキャパシタの電位が一定に維持されるようにする第１データパルスのクランプ電圧をパネルキャパシタの第１データ電極に供給し、インダクタの電流が放電される期間内にパネルキャパシタの電位が一定に維持されるようにする第２データパルスのクランプ電圧をパネルキャパシタの第２データ電極に供給し、第１データパルスのクランプ電圧の印加時点と第２データパルスのクランプ電圧の印加時点とを異にすることを特徴とする。【選択図】図１
2007219502.tif 000002
【特許請求の範囲】
【請求項１】
パネルキャパシタとインダクタに充電されたエネルギーを利用して前記パネルキャパシタを充電させ、前記パネルキャパシタからエネルギーを回収するエネルギー回収回路を含むプラズマディスプレイ装置の駆動方法において、
前記インダクタの電流が放電される期間内に前記パネルキャパシタの電位が一定に維持されるようにする第１データパルスのクランプ電圧を前記パネルキャパシタの第１データ電極に供給し、
前記インダクタの電流が放電される期間内に前記パネルキャパシタの電位が一定に維持されるようにする第２データパルスのクランプ電圧を前記パネルキャパシタの第２データ電極に供給し、
前記第１データパルスのクランプ電圧の印加時点と前記第２データパルスのクランプ電圧の印加時点とを異にすることを特徴とするプラズマディスプレイ装置の駆動方法。
【請求項２】
前記インダクタの電流が放電される期間は、前記インダクタの電流の最大電流に対する比が１００％〜２０％になる期間であることを特徴とする請求項１に記載のプラズマディスプレイ装置の駆動方法。
【請求項３】
前記インダクタの電流が放電される期間は、前記パネルキャパシタの電圧の最大電圧に対する比が２０％〜１００％になる期間であることを特徴とする請求項１に記載のプラズマディスプレイ装置の駆動方法。
【請求項４】
前記パネルキャパシタの温度が常温より高い高温である場合の前記第１データパルスのクランプ電圧の印加時点は、前記パネルキャパシタの温度が常温である場合の前記第１データパルスのクランプ電圧の印加時点より早いことを特徴とする請求項１に記載のプラズマディスプレイ装置の駆動方法。
【請求項５】
前記第１データパルスのクランプ電圧の維持区間と前記第２データパルスのクランプ電圧の維持区間とは互いに異なることを特徴とする請求項１に記載のプラズマディスプレイ装置の駆動方法。
【請求項６】
前記第１データパルスの電圧変動区間と前記第２データパルスの電圧変動区間とは互いに異なることを特徴とする請求項１に記載のプラズマディスプレイ装置の駆動方法。
【発明の詳細な説明】
【技術分野】
【０００１】
本発明はプラズマディスプレイ装置の駆動方法に関する。
【背景技術】
【０００２】
プラズマディスプレイ装置は電極が形成されたプラズマディスプレイパネルと、このようなプラズマディスプレイパネルの電極に所定の駆動信号を供給する駆動部と、を含む。
【０００３】
一般に、プラズマディスプレイパネルには隔壁により区画された放電セル（Cell）内に蛍光体層が形成され、また、複数の電極（Electrode）、例えばスキャン電極（Ｙ）、サステイン電極（Ｚ）、アドレス電極（Ｘ）が形成される。
【０００４】
そして、駆動部は電極を介して放電セルに駆動信号を供給する。
【０００５】
次いで、放電セル内では供給される駆動電圧により放電が発生する。ここで、放電セル内で駆動電圧により放電される時、放電セル内に充填されている放電ガスが真空紫外線（Vacuum Ultraviolet rays）を発生し、このような真空紫外線が放電セル内に形成された蛍光体を発光させて可視光を発生させる。このような可視光によりプラズマディスプレイパネルの画面上に映像が表示される。
【０００６】
ここで、プラズマディスプレイパネルの放電セル内で発生する放電は、リセット放電、アドレス放電、サステイン放電などである。
【０００７】
リセット放電は全ての放電セルを初期化するための放電であり、アドレス放電は表示放電であるサステイン放電が発生される放電セルを選択するための放電であり、サステイン放電は映像を画面上に表示するための表示放電である。
【０００８】
ここで、アドレス放電はアドレス電極（Ｘ）に供給されるデータパルスとスキャン電極（Ｙ）に供給されるスキャンパルスにより発生する。
【０００９】
一方、前述したデータパルスがアドレス電極（Ｘ）に供給される時、隣接するデータパルス間のカップリング（Coupling）などによってノイズ（Noise）及び電磁妨害（ＥＭＩ： Electro Magnetic Interference）が発生するという問題点があった。
【発明の開示】
【発明が解決しようとする課題】
【００１０】
本発明は、プラズマディスプレイパネルの駆動時に駆動パルス間のカップリングによるノイズ及び電磁妨害の発生を減少し得るプラズマディスプレイ装置の駆動方法を提供することを目的とする。
【課題を解決するための手段】
【００１１】
本発明によるプラズマディスプレイ装置及びその駆動方法は、複数のアドレス電極にそれぞれ印加される各データパルスのうち第１データパルスの幅と第２データパルスの幅とを異にすることを特徴とする。
【００１２】
ここで、第１データパルスの電圧変動区間が前記第２データパルスの電圧変動区間と異なることを特徴とする。
【００１３】
また、本発明によるプラズマディスプレイ装置の駆動方法は、パネルキャパシタとインダクタに充電されたエネルギーを利用して前記パネルキャパシタを充電させ、該パネルキャパシタからエネルギーを回収するエネルギー回収回路を含むプラズマディスプレイ装置の駆動方法において、前記インダクタの電流が放電される期間以内に前記パネルキャパシタの電位が一定に維持されるようにする第１データパルスのクランプ電圧を前記パネルキャパシタの第１データ電極に供給し、前記インダクタの電流が放電される期間以内に前記パネルキャパシタの電位が一定に維持されるようにする第２データパルスのクランプ電圧を前記パネルキャパシタの第２データ電極に供給し、前記第１データパルスのクランプ電圧の印加時点と前記第２データパルスのクランプ電圧の印加時点とを異にすることを特徴とする。
【００１４】
このとき、インダクタの電流が放電される期間は前記インダクタの電流の最大電流に対する比が１００％〜２０％になる期間であることを特徴とする。
また、前記インダクタの電流が放電される期間は前記パネルキャパシタの電圧の最大電圧に対する比が２０％〜１００％になる期間であることを特徴とする。
また、前記パネルキャパシタの温度が常温より高い高温である場合の前記第１データパルスのクランプ電圧の印加時点は、前記パネルキャパシタの温度が常温である場合の前記第１データパルスのクランプ電圧の印加時点より早いことを特徴とする。
また、前記第１データパルスのクランプ電圧の維持区間と前記第２データパルスのクランプ電圧の維持区間とは互いに異なることを特徴とする。
また、前記第１データパルスの電圧変動区間と前記第２データパルスの電圧変動区間とは互いに異なることを特徴とする。
【発明の効果】
【００１５】
本発明は、プラズマディスプレイパネルの駆動時に駆動パルス間のカップリングによるノイズ及び電磁妨害の発生を減少し得る効果がある。
【発明を実施するための最良の形態】
【００１６】
以下、添付の図面を参照しつつ本発明のプラズマディスプレイ装置について詳細に説明する。
図１は本発明のプラズマディスプレイ装置の構成を説明するための図である。
【００１７】
本発明のプラズマディスプレイ装置は、図１に示すように、プラズマディスプレイパネル１００と、データ駆動部１０１と、スキャン駆動部１０２と、サステイン駆動部１０３と、タイミングコントロール部１０４と、を含む。
【００１８】
データ駆動部１０１は、アドレス期間にプラズマディスプレイパネル１００の各アドレス電極（Ｘ）にそれぞれデータパルスを供給する。この場合、データ駆動部１０１は、アドレス電極（Ｘ）に供給される各データパルスの幅や各データパルスの電圧変動区間が調節されるようにタイミングコントロール部１０４により制御される。
【００１９】
スキャン駆動部１０２は、プラズマディスプレイパネル１００のスキャン電極（Ｙ）にリセット期間にリセットパルスを供給し、アドレス期間にスキャンパルスを供給し、サステイン期間にサステインパルスを供給する。
【００２０】
サステイン駆動部１０３は、プラズマディスプレイパネル１００のサステイン電極（Ｚ）にアドレス期間にサステインバイアス電圧（Ｖｚｂ）、サステイン期間にサステインパルスを供給する。
【００２１】
タイミングコントロール部１０４は、各駆動部１０１、１０２、１０３がプラズマディスプレイパネルの電極に駆動パルスを印加するように制御する。
【００２２】
プラズマディスプレイパネル１００は、アドレス電極（Ｘ）、スキャン電極（Ｙ）、及びサステイン電極（Ｚ）を含む。
【００２３】
図２Ａ及び図２Ｂは、本発明のプラズマディスプレイパネルの構造を説明するための図である。まず、本発明のプラズマディスプレイパネルは、図２Ａに示すように、スキャン電極（Ｙ）２０２とサステイン電極（Ｚ）２０３が形成される前面基板２０１を含む前面パネル２００と、前述したスキャン電極（Ｙ）２０２及びサステイン電極（Ｚ）２０３と交差するアドレス電極（Ｘ）２１３が形成される背面基板２１１を含む背面パネル２１０と、が所定の間隔をおいて合着される。
【００２４】
このようなスキャン電極（Ｙ）２０２とサステイン電極（Ｚ）２０３が形成された前面基板２０１の上部には、スキャン電極（Ｙ）２０２とサステイン電極（Ｚ）２０３を覆うように上部誘電体層２０４が形成される。
【００２５】
該上部誘電体層２０４は、スキャン電極（Ｙ）２０２及びサステイン電極（Ｚ）２０３の放電電流を制限して、スキャン電極（Ｙ）２０２とサステイン電極（Ｚ）２０３の間を絶縁させる。
【００２６】
上部誘電体層２０４の上面には、放電条件を容易にするための保護層２０５が形成される。このような保護層２０５は、酸化マグネシウム（ＭｇＯ）などの材料を上部誘電体層２０４の上部に蒸着する方法などを通じて形成される。
【００２７】
アドレス電極（Ｘ）２１３が形成された後面基板２１１の上部には、アドレス電極（Ｘ）２１３を覆うように下部誘電体層２１５が形成される。
【００２８】
該下部誘電体層２１５の上部には、放電セルを区画するためのストライプタイプ（Stripe Type）又はウェルタイプ（Well Type）などの隔壁２１２が形成される。
【００２９】
該隔壁２１２により区画された放電セル内は所定の放電ガスで満たされ、可視光を放出する蛍光体層２１４が形成される。例えば、赤色（Red : Ｒ）、緑色（Green : Ｇ）、青色（Blue : Ｂ）の蛍光体層が形成される。
【００３０】
図２Ｂに示すように、スキャン電極（Ｙ）２０２とサステイン電極（Ｚ）２０３はそれぞれ複数の層（Layer）からなる。
【００３１】
特に、光透過率及び電気伝導度を考慮すると、放電セル内で発生した光を外部に放出させると共に、駆動効率を確保する次元で、スキャン電極（Ｙ）２０２とサステイン電極（Ｚ）２０３は不透明な銀（Ａｇ）材質のバス電極２０２ｂ、２０３ｂと透明なインジウムスズ酸化物（Indium Tin Oxide : ＩＴＯ）材質の透明電極２０２ａ、２０３ａを含むことが好ましい。
【００３２】
このように、スキャン電極（Ｙ）２０２とサステイン電極（Ｚ）２０３が、透明電極２０２ａ、２０３ａをそれぞれ含むようにする理由は、放電セル内で発生した可視光がプラズマディスプレイパネルの外部に放出される時、効果的に放出されるようにするためである。
【００３３】
かつ、スキャン電極（Ｙ）２０２とサステイン電極（Ｚ）２０３が、バス電極２０２ｂ、２０３ｂをそれぞれ含むようにする理由は、スキャン電極（Ｙ）２０２とサステイン電極（Ｚ）２０３が透明電極２０２ａ、２０３ａのみを含む場合には、これら透明電極２０２ａ、２０３ａの電気伝導度が相対的に低いために、駆動効率が減少することがあり、このような駆動効率の減少を引き起こし得る透明電極２０２ａ、２０３ａの低い電気伝導度を補償するためである。
【００３４】
以上の図２Ａ及び図２Ｂにおいては、本発明のプラズマディスプレイパネルの一例のみを示して説明したが、本発明が図２Ａ及び図２Ｂのような構造のプラズマディスプレイパネルに限定されないことを明かにしておく。例えば、図２Ａ及び図２Ｂのプラズマディスプレイパネルには、上部誘電体層２０４及び下部誘電体層２１５がそれぞれ一つの層（Layer）である場合のみを示しているが、上部誘電体層２０４及び下部誘電体層２１５の少なくとも１つが複数の層からなることも可能である。
【００３５】
図３は本発明のプラズマディスプレイパネルに表示される映像の階調を実現するための方法を説明した図である。
【００３６】
本発明のプラズマディスプレイ装置で映像の階調（Gray Level）を実現するためのフレームは、図３に示すように、発光回数が異なる様々なサブフィールドに分けられる。また、各サブフィールドは、再び全ての放電セルを初期化させるためのリセット期間（Reset Period）、放電される放電セルを選択するためのアドレス期間（Address Period）、及び放電回数によって階調を実現するためのサステイン期間（Sustain Period）に分けられる。
【００３７】
例えば、２５６階調で映像を表示する場合に１／６０秒に該当するフレーム期間（１６．６７ｍｓ）は、例えば、図３のように８個のサブフィールド（ＳＦ１〜ＳＦ８）に分けられ、８個のサブフィールド（ＳＦ１〜ＳＦ８）のそれぞれは、リセット期間、アドレス期間、及びサステイン期間に再び分けることができる。
【００３８】
この場合、各サブフィールドのリセット期間及びアドレス期間は、各サブフィールド毎に同一であり、サステイン期間は各サブフィールドの加重値によって相違に調節される。各サブフィールドの加重値は、例えば、第１サブフィールドの階調加重値を２０に設定し、第２サブフィールドの階調加重値を２１に設定する方法で、各サブフィールドの階調加重値が２ｎ（ただ、ｎ＝０、１、２、３、４、５、６、７）の割合で増加するように各サブフィールドの階調加重値を決定することができる。このように各サブフィールドで階調加重値によって各サブフィールドのサステイン期間で供給されるサステインパルスの個数を調節することにより、多様な映像の階調を実現する。
【００３９】
図３においては、１つのフレームが８個のサブフィールドからなる場合のみについて説明したが、これとは異なって、１つのフレームをなすサブフィールドの個数を多様に変更することができる。例えば、第１サブフィールドから第１２サブフィールドまでの１２個のサブフィールドで１つのフレームを構成することもでき、１０個のサブフィールドで１つのフレームを構成することもできる。
【００４０】
また、図３においては、１つのフレームにおいて階調加重値の大きさが増加する順序によって各サブフィールドを配列したが、これとは異なって、１つのフレームにおいて各サブフィールドが階調加重値が減少する順序によって配列することもでき、又は階調加重値に関係なくサブフィールドを配列することもできる。
【００４１】
図４は、図３に示したフレームに含まれる複数のサブフィールドの内いずれか１つのサブフィールドにおけるプラズマディスプレイ装置の駆動方法を説明するための図である。
【００４２】
図４に示すように、図１の本発明によるプラズマディスプレイ装置において、スキャン駆動部１０２は、リセット期間のセットアップ期間でスキャン電極（Ｙ）に電圧が徐々に上昇する上昇ランプ（Ｒａｍｐ-Ｕｐ）波形を印加する。
【００４３】
上昇ランプ波形は放電セル内でセットアップ放電を発生させる。これによって放電セル内には所定の壁電荷（Wall Charge）が蓄積される。
【００４４】
セットアップ期間に続くセットダウン期間では、スキャン電極（Ｙ）に上昇ランプ波形のピーク電圧より低い所定の正極性電圧から電圧が徐々に下降する下降ランプ（Ｒａｍｐ-Ｄｏｗｎ）波形を印加する。
【００４５】
これにより、放電セル内でセットダウン放電が発生する。該セットダウン放電により以前のセットアップ放電により放電セル内に蓄積されている壁電荷の一部が消去されて、放電セル内にはアドレス放電が安定的に起こる程度の壁電荷が均一に残留する。
【００４６】
また、スキャン駆動部は、アドレス期間にスキャン基準電圧（Ｖｓｃ）及び該スキャン基準電圧（Ｖｓｃ）から下降する負極性スキャンパルス電圧（−Ｖｙ）をスキャン電極（Ｙ）に印加する。
【００４７】
スキャン駆動部１０２が負極性スキャンパルス電圧（−Ｖｙ）をスキャン電極（Ｙ）に印加する時、これに対応するように、データ駆動部１０１はアドレス電極（Ｘ）にデータパルス電圧（Ｖｄ）を供給する。
【００４８】
サステイン駆動部１０３は、アドレス期間においてサステイン電極（Ｚ）の干渉による誤放電の発生を防止するために、アドレス期間においてサステイン電極（Ｚ）にサステインバイアス電圧（Ｖｚｂ）を印加する。
【００４９】
このようなアドレス期間において、負極性スキャンパルス電圧（−Ｖｙ）とデータパルス電圧（Ｖｄ）間の電圧差と、リセット期間に生成された各壁電荷による壁電圧が加わりながら、データパルス電圧（Ｖｄ）が印加される放電セル内でアドレス放電が発生する。
【００５０】
該アドレス放電により選択された放電セル内には、サステインパルスのサステイン電圧（Ｖｓ）が印加される時、放電が起こる程度の壁電荷が形成される。
【００５１】
このようなアドレス期間以後のサステイン期間において、スキャン駆動部１０２とサステイン駆動部１０３は、スキャン電極（Ｙ）又はサステイン電極（Ｚ）に交番的にサステインパルス（ＳＵＳ）を印加する。
【００５２】
これによって、アドレス放電により選択された放電セルは、放電セル内の壁電圧とサステインパルス（ＳＵＳ）のサステイン電圧（Ｖｓ）が加わりながら、サステインパルス（ＳＵＳ）が印加される度にスキャン電極（Ｙ）とサステイン電極（Ｚ）の間にサステイン放電が起こる。これにより、プラズマディスプレイパネル上に所定の映像が実現される。
【００５３】
図５はアドレス期間にデータ電極に印加されるデータパルスの形態を説明するための図である。
【００５４】
図５に示すように、アドレス期間に複数のアドレス電極に印加される各データパルスのうち第１データパルス（ａ）の幅（Ｗ１０）と第２データパルス（ｂ）の幅（Ｗ１）とは異なる値を有する。この場合、第１データパルスの電圧変動時間（ｔ１０、ｔ２０）、及び第１データパルスの電圧維持区間（ｄ１０）も第２データパルスの電圧変動時間（ｔ１、ｔ２）及び第２データパルスの電圧維持区間（ｄ１）とそれぞれ異なってもよい。第１データパルスの電圧変動期間と異なる第２データパルスの電圧変動期間は、データパルスの上昇時間及び下降時間の全てに適用することができるが、データパルスの上昇時間にのみ適用してデータパルスの駆動マージンを確保する。
【００５５】
第１データパルスの電圧変動区間と第２データパルスの電圧変動期間とが異なる場合、例えば、図に示すように、第１データパルスの電圧変動区間が第２データパルスの電圧変動期間より長い場合、第２データパルスの電圧変動区間に対する第１データパルスの電圧変動期間の比は１倍以上１０倍以下になることが好ましい。これによってアドレス区間の駆動マージンを確保することができ、また、アドレス放電の効率低減の防止及び放電の均一性の低下を防止する。
【００５６】
また、図面には示していないが、第１データパルスの幅と第２データパルスの幅とが異なっても、第１データパルスの電圧維持区間と第２データパルスの電圧維持区間とは互いに同一であり得て、第１データパルスの電圧変動区間と第２データパルスの電圧変動区間とが互いに同一であり得る。
【００５７】
このような第１データパルス及び第２データパルスは、同一のサブフィールドのアドレス期間に背面基板に配列された複数のアドレス電極のうち隣接した２つのアドレス電極に印加されるパルスであり得る。
【００５８】
また、第１データパルス及び第２データパルスは、他のサブフィールドのアドレス期間あるいは他のフレームのアドレス期間に背面基板に配列された同一のアドレス電極に印加されるパルスであり得る。
【００５９】
このように、データパルスが複数のアドレス電極（Ｘ）に供給される時、データパルスの幅を調節すると、隣接するデータパルス間のカップリングの影響が減少するなどの理由によって、ノイズ及び電磁妨害（ＥＭＩ : Electro Magnetic Interference）の発生が低減される。
【００６０】
図６はプラズマディスプレイパネルの温度によって複数のデータ電極に印加されるデータパルスの形態を説明するための図である。
【００６１】
図６に示すように、プラズマディスプレイパネルの温度が常温より高い高温である場合のデータパルスの幅は、プラズマディスプレイパネルの温度が常温である場合の第１データパルスの幅よりも長くする。この場合、データパルスの電圧変動期間やデータパルスの電圧維持区間も常温時より高温時がより長くする。
【００６２】
このように、プラズマディスプレイパネルの温度が常温より高い高温である場合にデータパルスの幅を相対的に広くする理由は、プラズマディスプレイパネルの温度が高温である場合には、放電セル内で空間電荷と壁電荷とが再結合されて壁電荷が中和（Neutralization）される比率が高まることによって、放電セル内の壁電荷が不足しアドレス放電の強度が過度に弱くなるか、又はアドレス放電が発生しない可能性が高まるためである。
【００６３】
従って、プラズマディスプレイパネルの温度が相対的に高い高温である場合に、データパルスの幅を広くして放電セル内で不足する壁電荷を補償してアドレス放電の強度を十分に維持する。
【００６４】
図７はサブフィールドの加重値によって複数のデータ電極に印加されるデータパルスの形態を説明するための図である。
【００６５】
図７に示すように、１つのフレームが１２個のサブフィールドを含み、各サブフィールドの配列は階調加重値が低いサブフィールドから高いサブフィールドへ順に配列されると仮定する時、１２個のサブフィールドのうち階調加重値が低い各サブフィールド、例えば、第１サブフィールドから第６サブフィールドのデータ電極に印加されるデータパルスの幅は、階調加重値が高い第７サブフィールドから第１２サブフィールドのデータ電極に印加されるデータパルスの幅よりも大きくする。この場合、図８のように、データパルスの電圧維持時間（ｄ１０、ｄ１）を同一にすることができる。このように、階調加重値が低いサブフィールドでデータパルスの幅を相対的に広くする理由は、全体サブフィールドのうち階調加重値が低いサブフィールドではサステイン期間において供給されるサステインパルスの個数が相対的に少なく、アドレス放電が不安定になる可能性が高まるためである。
【００６６】
従って、階調加重値が低いサブフィールドにおいて、データパルスの幅を広くして不安定になる可能性が相対的に高いアドレス放電を安定させる。
【００６７】
図９は本発明のプラズマディスプレイ装置におけるデータ駆動部の構成を概略的に示す図である。
【００６８】
本発明によるデータ駆動部は、図９に示すように、データドライブ集積回路部（Data Drive Integrated Circuit）８００と、データ電圧供給制御部８１０及びエネルギー回収回路部８２０と、を含む。
【００６９】
データ電圧供給制御部８１０はデータ電圧供給制御スイッチ部（Ｑ１）を含み、このようなデータ電圧供給制御スイッチ部（Ｑ１）のスイッチング動作により、図示しないデータ電圧源から供給されるデータ電圧（Ｖｄ）をデータドライブ集積回路部８００に供給する。
【００７０】
該データドライブ集積回路部８００は、プラズマディスプレイパネルのアドレス電極（Ｘ）に接続され、自身に供給される電圧を予め決定されたスイッチング動作によりアドレス電極（Ｘ）に供給する。
【００７１】
このようなデータドライブ集積回路部８００は、データ電圧供給制御部８１０及びエネルギー回収回路部８２０から独立して１つのモジュールとして形成される。例えば、ＴＣＰ（Tape Carrier Package）上に１つのチップの形態で形成することができる。また、このようなデータドライブ集積回路部８００は、トップスイッチ（Ｑｔ）とボトムスイッチ（Ｑｂ）を含む。
【００７２】
トップスイッチ（Ｑｔ）の一端はデータ電圧供給制御部８１０及びエネルギー回収回路部８２０と共通連結され、他端はボトムスイッチ（Ｑｂ）の一端と連結される。
【００７３】
また、ボトムスイッチ（Ｑｂ）の他端は接地（ＧＮＤ）され、トップスイッチ（Ｑｔ）の他端とボトムスイッチ（Ｑｂ）の一端の間（第２ロッド、ｎ２）はアドレス電極（Ｘ）に接続される。
【００７４】
エネルギー回収回路部８２０は、エネルギー保存部８２１と、エネルギー供給制御部８２２と、エネルギー回収制御部８２３と、インダクタ部８２４と、を含む。
【００７５】
このようなエネルギー回収回路は、プラズマディスプレイパネルを等価パネルキャパシタとする時、インダクタに充電されたエネルギーを利用してパネルキャパシタに充電させ、パネルキャパシタからエネルギーを回収して動作する。
【００７６】
図１０は、図９のデータ駆動部を利用してデータパルスのクランプ電圧印加時点を調節する方法を説明するための図である。
【００７７】
図１０に示すように、図１のタイミングコントロール部の制御下において、第２スイッチ（Ｑ２）及びトップスイッチ（Ｑｔ）をターンオンさせてＥＲ-ＵＰ期間中、オン状態を維持する。ＥＲ-ＵＰ期間中、第１、第３及びボトムスイッチ（Ｑ１、Ｑ３、Ｑｂ）はオフ状態を維持する。次いで、エネルギー保存部（Ｃ）に保存された電圧が、第１スイッチ（Ｓ１）と第１ダイオード（Ｄ１）を経由してインダクタ（Ｌ）に供給される。この期間中、インダクタ（Ｌ）とパネルキャパシタ（Ｃｐ）の組み合わせによるＬＣ共振により、インダクタ（Ｌ）の電流（ＩＬ）は正極性の最大点まで充電された後に放電され、パネルキャパシタ（Ｃｐ）の電圧（Ｖｐ）は充電される。
【００７８】
第１クランプ（1st CLAMPING）期間の開始時点（以下、「クランプ時点」という）にタイミングコントロール部は第１スイッチ（Ｑ１）をターンオンさせて、データ電圧（Ｖｄ）をパネルキャパシタ（Ｃｐ）に供給し始める。第１クランプ期間中、第２スイッチ（Ｑ２）はオン状態を維持して、第３スイッチ（Ｑ３）及びボトムスイッチ（Ｑｂ）はオフ状態を維持する。クランプ時点はインダクタ（Ｌ）の電流（ＩＬ）がゼロに放電される前で、パネルキャパシタ（Ｃｐ）がデータ電位（Ｖｄ）に充電される前の時点である。
【００７９】
このクランプ時点はインダクタ（Ｌ）の電流（ＩＬ）の最大電流（ＩＭＡＸ）に対する比が１００％〜２０％の間に設定された放電時点、あるいは、パネルキャパシタ（Ｃｐ）の電圧（Ｖｐ）がデータ電位（Ｖｄ）、又は最大電圧に対して２０％〜１００％の間の比に設定された充電時点である。このクランプ時点でパネルキャパシタ（Ｃｐ）の電圧（Ｖｐ）は、データ電位（Ｖｄ）又は最大電位まで急激に上昇する。第１クランプ期間の初期までインダクタ（Ｌ）の電流（ＩＬ）はゼロまで放電された後、第１クランプ期間の終了時点までゼロを維持する。
【００８０】
パネルキャパシタ（Ｃｐ）の電圧（Ｖｐ）が最大電位に一定に維持される間、セル内ではアドレス放電が発生する。
【００８１】
このように、本発明によるエネルギー回収装置とそのクランプ方法は、クランプ時点でパネルキャパシタ（Ｃｐ）の電圧を最大電位にクランプさせることで、ＥＲ-ＵＰ期間を減らしてデータパルスのクランプ電圧の印加時点を異にすることができる。これによって、各データパルスのクランプ電圧維持区間を調節することができ、また、温度によってデータパルスのクランプ電圧の印加時点を異にすることができる。これに関しては既に説明したので、ここでは説明を省略する。
【００８２】
第１クランプ期間が終了した後、第１、第２スイッチ、及びボトムスイッチ（Ｑ１、Ｑ２、Ｑｂ）をターンオフさせる反面、第３スイッチ（Ｑ３）をターンオンさせてＥＲ-ＤＮ期間中、オン状態を維持させる。これによって、パネルキャパシタ（Ｃｐ）で放電に寄与しない無効電力がインダクタ（Ｌ）、第２ダイオード（Ｄ２）、及び第３スイッチ（Ｑ３）を経由してエネルギー保存部（Ｃ）に回収される。このＥＲ-ＤＮ期間中、インダクタ（Ｌ）の電流（ＩＬ）は、パネルキャパシタ（Ｃｐ）からの電荷により負極性頂点まで充電された後、ゼロまで放電され、パネルキャパシタ（Ｃｐ）の電圧（Ｖｐ）はデータ電位（Ｖｄ）から基底電位（ＧＮＤ）まで放電される。ＥＲ-ＤＮ期間の終了時点でインダクタ（Ｌ）の電流がゼロになると、第３スイッチ（Ｑ３）をターンオフさせる反面、ボトムスイッチ（Ｑｂ）をターンオンさせて、第２クランプ（2nd CLAMPING）期間中、オン状態を維持させる。第２クランプ期間中、第１及びトップスイッチ（Ｑ１、Ｑｔ）はオフ状態を維持する。第２クランプ期間中、基底電圧（ＧＮＤ）がボトムスイッチ（Ｑｂ）を経由してパネルキャパシタ（Ｃｐ）に供給される。従って、パネルキャパシタ（Ｃｐ）の電圧（Ｖｐ）は基底電位（ＧＮＤ）に一定に維持される。
【００８３】
このように、データ駆動部に含まれる各スイッチング素子のスイッチングタイミングを調節してパネルキャパシタのアドレス電極（Ｘ）に供給されるデータパルスの電圧変動時間及び電圧維持区間を調節することができる。
以上、説明した内容を通じて、当業者であれば本発明の技術事象を逸脱しない範囲で変更が可能であり、本発明の技術的範囲は、明細書の詳細な説明に記載された内容に限定されるのではなく、特許請求範囲により定められるはずである。
【図面の簡単な説明】
【００８４】
【図１】本発明のプラズマディスプレイ装置の構成を説明するための図である。
【図２Ａ】本発明のプラズマディスプレイパネルの構造を説明するための図である。
【図２Ｂ】本発明のプラズマディスプレイパネルの構造を説明するための図である。
【図３】本発明のプラズマディスプレイパネルに表示される映像の階調を実現するための方法を説明した図である。
【図４】図３に示したフレームに含まれる複数のサブフィールドの内いずれか１つのサブフィールドにおけるプラズマディスプレイ装置の駆動方法を説明するための図である。
【図５】アドレス期間にデータ電極に印加されるデータパルスの形態を説明するための図である。
【図６】プラズマディスプレイパネルの温度に応じて複数のデータ電極に印加されるデータパルスの形態を説明するための図である。
【図７】サブフィールドの加重値に応じて複数のデータ電極に印加されるデータパルスの形態を説明するための図である。
【図８】アドレス期間にデータ電極に印加される他の形態のデータパルスを示す図である。
【図９】本発明のプラズマディスプレイ装置のデータ駆動部の構成を概略的に示す図である。
【図１０】図９のデータ駆動部を利用してデータパルスのクランプ電圧印加時点を調節する方法を説明するための図である。
【符号の説明】
【００８５】
１００  プラズマディスプレイパネル
１０１  データ駆動部
１０２  スキャン駆動部
１０３  サステイン駆動部
１０４  タイミングコントロール部
２００  前面パネル
２０１  前面基板
２０２  スキャン電極（Ｙ）
２０３  サステイン電極（Ｚ）
２０４  上部誘電体層
２１０  背面パネル
２１１  背面基板
２１３  アドレス電極（Ｘ）
２１５  下部誘電体層
【図１】
2007219502.tif 000003
【図２Ａ】
2007219502.tif 000004
【図２Ｂ】
2007219502.tif 000005
【図３】
2007219502.tif 000006
【図４】
2007219502.tif 000007
【図５】
2007219502.tif 000008
【図６】
2007219502.tif 000009
【図７】
2007219502.tif 000010
【図８】
2007219502.tif 000011
【図９】
2007219502.tif 000012
【図１０】
2007219502.tif 000013